(57)【特許請求の範囲】
【請求項１】
外箱上部に配設した開閉自在の上蓋を有するトップパネルと、外箱内に防振支持した水槽と、前記水槽内に回転自在に軸支され洗濯物や洗剤が投入される洗濯脱水槽と、前記洗濯脱水槽の内底部に回転自在に配設したパルセータと、前記洗濯脱水槽内の洗濯水を排水する排水弁とを備え、前記上蓋に、前記洗濯脱水槽の開口部と対向する位置に水が供給される凹部を形成し、前記凹部の底面に複数の通孔を突設して散水装置を形成し、前記散水装置に中央部と周縁部を仕切る垂直部を設け、中央水路と周縁水路とを形成し、前記洗濯脱水槽を高速回転して洗濯脱水槽内に投入された洗濯物を高速脱水した後に、前記散水装置により散水給水するときは、前記周縁水路からのみ散水給水するようにしたことを特徴とする洗濯機。
【請求項２】
外箱上部に配設した開閉自在の上蓋を有するトップパネルと、外箱内に防振支持した水槽と、前記水槽内に回転自在に軸支され洗濯物や洗剤が投入される洗濯脱水槽と、前記洗濯脱水槽の内底部に回転自在に配設したパルセータと、前記洗濯脱水槽内の洗濯水を排水する排水弁とを備え、前記上蓋に、前記洗濯脱水槽の開口部と対向する位置に水が供給される凹部を形成し、前記凹部の底面に複数の通孔を突設して散水装置を形成し、洗い行程、すすぎ行程、脱水行程とを行うものであって、すすぎ行程は前記排水弁を開放して行うシャワーすすぎと前記排水弁を閉じて行う溜めすすぎとで構成され、前記散水装置に中央部と周縁部を仕切る垂直壁を設けて中央水路と周縁水路とを形成し、前記洗い行程と溜めすすぎでは前記中央水路および周縁水路から前記洗濯脱水槽内へ散水給水を行い、前記シャワーすすぎでは前記外周水路からのみ散水給水することを特徴とする洗濯機。
【請求項３】
前記散水装置の通孔は、前記散水装置の凹部底面に下方側に突起する円錐形状を複数形成し、前記円錐形状の頂点を突設して成ることを特徴とする請求項１または２いずれか記載の洗濯機。
【請求項４】
前記上蓋の開閉を検知する上蓋開閉検知を設け、前記上蓋の開放を検知したときは前記散水装置への水の供給を停止することを特徴とする請求項１または２いずれか記載の洗濯機。
【発明の詳細な説明】
【０００１】
【産業上の利用分野】
本発明は、洗濯機で、特に散水装置により洗濯脱水槽内に給水する洗濯機に関するものである。
【０００２】
【従来の技術】
図５は、例えば特開平１１−４９９１号公報に示された従来の洗濯機を示す断面図である。図において、３１は外箱、３２は上面に開閉自在の上蓋３３を有するトップパネル、３４は外箱１内に防振支持した水槽、３５は水槽３４内に回転自在に配設した洗濯脱水槽で、内周側面に突出部３６を備えるとともに底部にパルセータ３７を配設している。３８は水槽３４の上部に設けた中蓋で、複数の散水口３９が設けられている。４０は水槽３４の外底部に配置したモータであり、Ｖベルト４１とクラッチと減速機で構成される機構部４２を介して上記洗濯脱水槽３５またはパルセータ３７を駆動する。４３は洗濯脱水槽３５内に水を給水する給水弁、４４は洗濯脱水槽３５の水位を検知する水位検知手段、４５は洗濯脱水槽３５内の洗濯水を排水する排水弁である。４６は洗濯脱水槽３５内の洗濯水を中蓋３８へ送水するポンプ装置である。４７は洗濯脱水槽３５内に入っている洗濯物、４８はトップパネル３２内に収納した制御装置で、洗濯、すすぎ、脱水行程を逐次制御する。
【０００３】
このような従来の洗濯機における動作について説明する。まず、上蓋３３を開け、そして中蓋３８を開けて、洗濯物４７と洗剤を洗濯脱水槽３５に投入し、洗濯機の運転を開始する。制御装置４８によって給水弁４３が動作し、洗濯脱水槽３５内へ所定量の水が給水される。所定量まで給水されると、制御装置４８によりモータ４０が通電状態となり、パルセータ３７及びポンプ装置４６を回転させ、洗濯物４７はパルセータ３７とともに回転し、突出部３６の影響によりねじり作用が与えられる。また、ポンプ装置４６の駆動により、洗濯水は洗濯脱水槽３５の底部から中蓋３８に給水され、散水口３９から洗濯物４７の上部に散水循環される。この洗濯水の循環により投入した洗剤は溶解され、洗濯物の汚れに作用して汚れを除去する。
【０００４】
【発明が解決しようとする課題】
上記のような従来の洗濯機では、洗濯物４７の上方に向けて散水する散水口３９を中蓋３８を介して設けているため、洗濯脱水槽３５内への洗濯物４７の出し入れおよび洗剤の投入のとき、上蓋３３を開け、その後中蓋３８を開けるという２回の蓋開閉動作が必要であり、使い勝手が悪いという問題点があった。また、すすぎ行程において散水口３９から洗濯物４７に散水する場合、洗濯物４７が遠心力により洗濯脱水槽３５の内壁に張り付いた状態になるため、洗濯物４７に水が掛かりにくく、また洗濯物４７のない部分にも散水することとなり、無駄水が多いという問題点があった。
【０００５】
この発明は、上述のような課題を解決するためになされたもので、洗濯物の投入や取り出しが容易に行え、すすぎ効率を向上させる洗濯機を得るものである。
【０００６】
【課題を解決するための手段】
この発明にかかる洗濯機においては、外箱上部に配設した開閉自在の上蓋を有するトップパネルと、外箱内に防振支持した水槽と、前記水槽内に回転自在に軸支され洗濯物や洗剤が投入される洗濯脱水槽と、前記洗濯脱水槽の内底部に回転自在に配設したパルセータと、前記洗濯脱水槽内の洗濯水を排水する排水弁とを備え、前記上蓋に、前記洗濯脱水槽の開口部と対向する位置に水が供給される凹部を形成し、前記凹部の底面に複数の通孔を突設して散水装置を形成し、前記散水装置に中央部と周縁部を仕切る垂直部を設け、中央水路と周縁水路とを形成し、前記洗濯脱水槽を高速回転して洗濯脱水槽内に投入された洗濯物を高速脱水した後に、前記散水装置により散水給水するときは、前記周縁水路からのみ散水給水するようにしたものである。
【０００７】
また、外箱上部に配設した開閉自在の上蓋を有するトップパネルと、外箱内に防振支持した水槽と、前記水槽内に回転自在に軸支され洗濯物や洗剤が投入される洗濯脱水槽と、前記洗濯脱水槽の内底部に回転自在に配設したパルセータと、前記洗濯脱水槽内の洗濯水を排水する排水弁とを備え、前記上蓋に、前記洗濯脱水槽の開口部と対向する位置に水が供給される凹部を形成し、前記凹部の底面に複数の通孔を突設して散水装置を形成し、洗い行程、すすぎ行程、脱水行程とを行うものであって、すすぎ行程は前記排水弁を開放して行うシャワーすすぎと前記排水弁を閉じて行う溜めすすぎとで構成され、前記散水装置に中央部と周縁部を仕切る垂直壁を設けて中央水路と周縁水路とを形成し、前記洗い行程と溜めすすぎでは前記中央水路および周縁水路から前記洗濯脱水槽内へ散水給水を行い、前記シャワーすすぎでは前記外周水路からのみ散水給水するものである。
【０００８】
また、前記散水装置の通孔は、前記散水装置の凹部底面に下方側に突起する円錐形状を複数形成し、前記円錐形状の頂点を突設して成ることを特徴とする請求項１または２いずれかものである。
【０００９】
また、前記上蓋の開閉を検知する上蓋開閉検知を設け、前記上蓋の開放を検知したときは前記散水装置への水の供給を停止するものである。
【００１１】
【発明の実施の形態】
実施の形態１．
図１と図２はこの発明の実施の形態１である洗濯機を示す断面図と図１のＡ−Ａ断面図である。図において、１は外箱、２は上面に開閉自在の上蓋３を有するトップパネル、４は散水装置であり、上蓋３の中央部に凹部３ａを形成して、その底面には中央水路５と周縁水路６に区分する仕切壁７と複数の通孔８を配設し、上面は透明部材のカバー９で覆っている。１０は外箱１内に防振支持した水槽、１１は水槽１０内に回転自在に配設した洗濯脱水槽で、底部にパルセータ１２を配設している。１３は水槽１１の底部に固定したモータであり、Ｖベルト１４とクラッチと減速機からなる機構部１５を介して上記洗濯脱水槽１１またはパルセータ１２を駆動する。１６は散水装置４の中央水路５へ給水する給水弁、１７は周縁水路６へ給水する給水弁、１８は給水弁１６の出水口、１９は給水弁１７の出水口、２０は洗濯脱水槽１１内の水位を検知する水位検知手段、２１は上蓋３の開閉検知装置、２２は洗濯脱水槽１１内の洗濯水を排水する排水弁、２３は洗濯脱水槽１１内に投入された洗濯物、２４はトップパネル２内に収納した制御装置で、洗い行程・すすぎ行程・脱水行程を逐次制御する。
【００１２】
このように構成された洗濯機における動作について説明する。まず、上蓋３を開け、洗濯脱水槽１１内に洗濯物２３を投入し、洗剤を入れ、洗い行程を開始する。制御装置２４により給水弁１６と１７を開き、給水は出水口１８と１９から散水装置４内に流れ込み、通孔８から洗濯物２３上に満遍なく散水される。そして、洗濯物２３の上に撒かれた洗剤は、散水装置４から洗濯物２３の上方部に向けて散水される給水によって押し流されて短時間内に洗濯脱水槽１１の下部に流れ落ち、同時に洗濯物２３は全体が水に濡れて嵩が減り、洗濯水の中に沈み込む。そして水槽１０内の水位が所定値に達すると水位検知手段２０が作動して給水が停止し、モータ１３が回転してパルセータ１２が洗濯物２３を攪拌する。このとき、洗濯物２３は洗濯水に馴染んで洗濯脱水槽３の底部に沈み込んでいるから、パルセータ１２の攪拌作用が効率よく伝わり、洗濯物２３は水平や上下に活発に動き、短時間で洗剤を溶解し、洗濯物２３の汚れ落とし作用が向上する。このようにして洗濯物２３を所定時間攪拌して洗い行程を終了する。
【００１３】
洗い行程が終了すると、すすぎ行程に移行する。すすぎ行程では、シャワーすすぎと溜めすすぎが行われ、まず、すすぎ行程におけるシャワーすすぎの動作について図３に基づいて説明する。まず、排水弁２２を開く。そして、洗濯脱水槽１１を高速回転し、遠心力により洗濯物２３に含まれる洗濯水の大半を洗濯脱水槽１１の脱水孔（図示せず）から除去する（以後高速脱水という）。続いて、洗濯脱水槽１１を、例えば１〜１０ｒｐｍの低速で回転させながら給水弁１７を開き、散水装置４の周縁水路６に給水する。このとき、高速脱水の後であるため、図３に示すように、洗濯物２３は洗濯脱水槽１１の内壁に張り付いた状態になっている。この洗濯脱水槽１１の内壁に張り付いた洗濯物２３に対して、周縁水路６は真上に位置するため給水は効率よく洗濯物２３にかかり、洗濯物２３に含まれる洗濯液を希釈して排水弁２２から排水する。
【００１４】
このように、すすぎ行程において、高速脱水後の洗濯物２３が洗濯脱水槽１１の内壁に張り付いていても、散水装置４からの散水が洗濯物２３の無い洗濯脱水槽１１の中央部へは給水せずに、洗濯物２３のある洗濯脱水槽１１内壁面部分にのみ散水するようにしたので、シャワーすすぎの水量を無駄にすることなく、すすぎ効率の良いものとなる。続いて、溜めすすぎが行われる。溜めすすぎは、高速脱水の後、排水弁２２を閉じ、給水弁１６、１７を開いて所定量の水を給水し、パルセータ１２を回転して洗濯物に含まれる洗濯液を揉み出して希釈する。
【００１５】
そして、脱水行程に移行して、洗濯脱水槽１１を高速回転して洗濯物２３に含まれる洗濯液の大半を取り除いて洗い行程・すすぎ行程・脱水行程の全洗濯行程を終了する。
【００１６】
そして、洗い行程・すすぎ行程・脱水行程の全洗濯行程を終了し、洗濯脱水槽１１内から洗濯物２３を取り出すとき、散水装置４の中央水路５および周縁水路６内に水が残っていると、その水が脱水済みの洗濯物２３にかかる恐れがある。そこで、図４に示すように、散水装置４の通孔８を下方に突起した円錐形状の頂点を穿設して形成し、水切れを良くしている。このようにして、散水装置４の各水路５、６内に水を残さないようにし、脱水済みの洗濯物２３に水がかかることはない。
【００１７】
なお、洗い行程またははすすぎ行程の給水中に、洗濯物２３の追加などで上蓋３を開ける場合、使用者が上蓋３を開けると、上蓋開閉検知装置２１が上蓋３の開放信号を出力して、制御装置２４により給水弁１８、給水弁１９を閉じて給水を停止する。したがって、上蓋３を開けたときに給水が飛散して洗濯機の周りの床などを濡らすことがない。そして、上蓋３を閉めると、上蓋開閉装置２１が蓋の閉信号を出力して給水を再開し、洗い行程またはすすぎ行程を続行する。
【００１８】
【発明の効果】
この発明は、以上説明したように構成されているので、以下に示すような効果を奏する。
【００２０】
外箱上部に配設した開閉自在の上蓋を有するトップパネルと、外箱内に防振支持した水槽と、前記水槽内に回転自在に軸支され洗濯物や洗剤が投入される洗濯脱水槽と、前記洗濯脱水槽の内底部に回転自在に配設したパルセータと、前記洗濯脱水槽内の洗濯水を排水する排水弁とを備え、前記上蓋に、前記洗濯脱水槽の開口部と対向する位置に水が供給される凹部を形成し、前記凹部の底面に複数の通孔を突設して散水装置を形成し、前記散水装置に中央部と周縁部を仕切る垂直部を設け、中央水路と周縁水路とを形成し、前記洗濯脱水槽を高速回転して洗濯脱水槽内に投入された洗濯物を高速脱水した後に、前記散水装置により散水給水するときは、前記周縁水路からのみ散水給水するようにしたので、洗濯物へ散水給水する散水装置を有し、洗濯物の洗濯脱水槽への出し入れは上蓋を開ける１度の動作で済み、使い勝手とすすぎ効率が向上され、高速脱水により洗濯脱水槽の底面中央部には散水給水されないため節水にもなる。
【００２１】
外箱上部に配設した開閉自在の上蓋を有するトップパネルと、外箱内に防振支持した水槽と、前記水槽内に回転自在に軸支され洗濯物や洗剤が投入される洗濯脱水槽と、前記洗濯脱水槽の内底部に回転自在に配設したパルセータと、前記洗濯脱水槽内の洗濯水を排水する排水弁とを備え、前記上蓋に、前記洗濯脱水槽の開口部と対向する位置に水が供給される凹部を形成し、前記凹部の底面に複数の通孔を突設して散水装置を形成し、洗い行程、すすぎ行程、脱水行程とを行うものであって、すすぎ行程は前記排水弁を開放して行うシャワーすすぎと前記排水弁を閉じて行う溜めすすぎとで構成され、前記散水装置に中央部と周縁部を仕切る垂直壁を設けて中央水路と周縁水路とを形成し、前記洗い行程と溜めすすぎでは前記中央水路および周縁水路から前記洗濯脱水槽内へ散水給水を行い、前記シャワーすすぎでは前記外周水路からのみ散水給水するので、通常は中央水路と周縁水路から散水給水をして洗濯脱水槽の前面に満遍なく散水給水を行い、さらに洗濯脱水槽の内壁に洗濯物が張り付いた状態でシャワーすすぎを行えば洗濯物の無い洗濯脱水槽の底面中央部には散水給水されないため節水にもなる。
【００２２】
また、前記散水装置の通孔は、前記散水装置の凹部底面に下方側に突起する円錐形状を複数形成し、前記円錐形状の頂点を穿設して成るので、水切れがよく、水路内に水が残らないから、脱水済みの洗濯物に水がかかることがなく使い勝手が良い。
【００２３】
また、前記上蓋の開閉を検知する上蓋開閉検知を設け、前記上蓋の開放を検知したときは前記散水装置への水の供給を停止するので、洗濯機運転途中の洗濯物の追加投入時など散水装置への水の供給途中で上蓋開放しても、洗濯機周囲に水が飛散して濡らすことが無い。
【図面の簡単な説明】
【図１】  この発明の実施の形態１である洗濯機を示す断面図である。
【図２】  この発明の実施の形態１である洗濯機を示す図１のＡ−Ａ断面図である。
【図３】  この発明の実施の形態１である洗濯機のシャワーすすぎ動作時の断面図である。
【図４】  この発明の実施の形態１である洗濯機の散水装置の通孔部の拡大断面図である。
【図５】  従来の洗濯機のを示す断面図である。
【符号の説明】
１  外箱、２  トップパネル、３、上蓋、３ａ  凹部、４  散水装置、５  中央水路、６  周縁水路、７  仕切壁、８  通孔、９  カバー、１０  水槽、１１洗濯脱水槽、１２  パルセータ、１３  モータ、１４  Ｖベルト、１５  機構部、１６  給水弁、１８  出水口、２０  水位検知手段、２１  開閉検知装置、２２  排水弁、２３  洗濯物、２４  制御装置。
【図１】
0003906721.tif 000002
【図２】
0003906721.tif 000003
【図３】
0003906721.tif 000004
【図４】
0003906721.tif 000005
【図５】
0003906721.tif 000006